(57)【特許請求の範囲】
【請求項１】
時計ムーブメントによって駆動され、月の日付を表示する歯車列（１６〜２４）を作動させ、嵌合して毎月１回転する日プログラム車（１３）と、毎年１回転するよう嵌合する月プログラム歯車（４３）とを含むカレンダ機構のためのプログラム車装置（１００）であって、
前記日プログラム車（１３）および前記月プログラム歯車（４３）は、同軸に取り付けられ、
前記日プログラム車（１３）は、前記時計ムーブメントによって作動される駆動歯車列（１、２、１１、１２）によって１日１歯のピッチで割り出される３１の歯を有する、均一な日割出歯システム（１３’）を含み、
外部の前記日割出歯システム（１３’）は、制御歯車列（１５、１６、３２、３３、４１、４２）をさらに動作して、毎月１２分の１回転によって月プログラム歯車（４３）を割り出し、
前記プログラム車は、複数の遊星歯車（１２９、１３０）を有し、
前記遊星歯車の回転軸（１２９’、１３０’）は、前記日プログラム車（１３）と一体化され、
前記遊星歯車（１２９、１３０）は、前記プログラム歯車（４３）と回転可能に固定される歯車とかみ合って、月末の割出再調整を実施する
ことを特徴とする、プログラム車装置（１００）。
【請求項２】
前記月プログラム歯車（４３）は、２月の月プログラム歯車（４５）と、３１日未満の月プログラム歯車（４４）とに、それぞれ同軸に取り付けられ、回転可能に固定されることを特徴とする、請求項１に記載のカレンダ機構のためのプログラム車装置。
【請求項３】
前記２月の月プログラム歯車（４５）は、単一の歯（４５１）を有し、
前記３１日未満の月プログラム歯車（４４）は、２月（４４１）、４月（４４２）、６月（４４３）、９月（４４４）および１１月（４４５）の月に対応する５つの歯を有し、  前記３１日未満の月プログラム歯車の２月に対応する歯（４４１）と、２月のプログラム歯車の歯（４５１）は、重ね合わされ、同一である、請求項２記載のカレンダ機構のためのプログラム車装置。
【請求項４】
前記日付表示機構は、日車（１６）を有し、
前記日車（１６）および前記日プログラム車（１３）は、重ね合わされるか、あるいは、統合される
ことを特徴とする、請求項１〜３のいずれか１項に記載のカレンダ機構のためのプログラム車装置。
【請求項５】
前記カレンダ機構は、永久カレンダ機構であり、
前記プログラム車は、
２月に２９日から３０日に割り出すための第１のかみ合いレベル（Ｂ）でかみ合う第１の遊星歯車（１２９）と、３１日未満の月の３０日から３１日を割り出すための第２のかみ合いレベル（Ｄ）でかみ合う第２の遊星歯車（１３０）と、閏年の２月の２８日から２９日を割り出すための第３のかみ合いレベル（Ｅ）でかみ合う第３の遊星歯車（１３０）は、前記日プログラム車（１３）に取り付けられ、
前記日割出歯システム（１３’）は第４のかみ合いレベル（Ｃ）でかみ合う
ことを特徴とする、請求項１〜４のいずれか１項に記載のカレンダ機構のためのプログラム車装置。
【請求項６】
前記月プログラム歯車（４３）は、前記閏年ツメ部（４７）で嵌合される固定歯車（４７’）に同軸に取り付けられ、
前記月プログラム歯車（４３）で枢動するように取り付けたマルタ十字歯車（４６’）と一体化した３つの歯（４６１、４６２、４６３）を有する閏年プログラム歯車（４６）を含み、
前記閏年プログラム歯車（４６）は、前記日プログラム車（１３）の前記第３のかみ合いレベル（Ｅ）で動作し、前記マルタ十字歯車（４６’）は、毎年第５のかみ合いレベル（Ｆ）で閏年ツメ部（４７）とかみ合い、
前記プログラム車は、前記閏年プログラム歯車の前記歯（４６１、４６２、４６３）それぞれが、３１日未満の月に関しては、前記２月に対応する歯（４４１）に、平年の２月に関しては、前記２月の月プログラム歯車の歯（４５１）に重ね合わされる
ことを特徴とする、請求項５に記載のカレンダ機構のためのプログラム車装置。
【請求項７】
前記月プログラム歯車（４３）は、毎月、６番目のかみ合いレベル（Ｇ）で前記日割出歯システム（１３’）によって駆動される制御歯車列（１５、１６、３２、３３、４１、４２）の一部を形成する中間月制御車（４２）とかみ合うことを特徴とする、請求項５または６に記載のカレンダ機構のためのプログラム車装置。
【請求項８】
前記遊星歯車の回転軸（１２８’、１２９’、１３０’）は、前記日プログラム車（１３）の回転中心から等距離にある同じ円弧上の日プログラム車（１３）の２つの連続する歯の間に位置する、請求項５〜７のいずれか１項に記載のカレンダ機構のためのプログラム車装置。
【請求項９】
３つの前記遊星歯車（１２８、１２９、１３０）は同一である、請求項５〜８のいずれか１項に記載のカレンダ機構のためのプログラム車装置。
【請求項１０】
前記時計ムーブメントは、第７のかみ合いレベル（Ａ）で日割出歯車（１２）とかみ合う複数の歯を備える日かみ合い領域（１１）と嵌合する２４時間車（２）を含むことを特徴とし、
前記日割出歯車（１２）は、最大２４時間かけて１回転し、
前記カレンダ割出歯車（１２）は、
２月に２９日から３０日を割り出すための第１のかみ合いレベル（Ｂ）で前記第１の遊星歯車（１２９）とかみ合う前記日割出歯車（１２）の第１のかみ合い領域（２９）と、
３１日未満の月に３０日から３１日を割り出すための第２のかみ合いレベル（Ｄ）で前記第２の遊星歯車（１３０）とかみ合う前記日割出歯車（１２）の第２のかみ合い領域（３０）と、
閏年の２月に２８日から２９日を割り出すための第３のかみ合いレベル（Ｅ）で前記第３の前記遊星歯車（１２９）とかみ合う前記日割出歯車（１２）の第３のかみ合い領域（２８）と、
第４のかみ合いレベル（Ｃ）で第４の前記日割出歯システム（１３’）の歯（１３１）とかみ合う第４の割出領域（３１）と
を含み、
前記第１のかみ合いレベル（Ｂ）と、前記第２および前記第３のかみ合いレベル（Ｄ、Ｅ）それぞれは、前記第４のかみ合い面（Ｃ）の上下に位置する、請求項５〜９のいずれか１項に記載のカレンダ機構のためのプログラム車装置。
【発明の詳細な説明】
【技術分野】
【０００１】
本発明は、カレンダ機構のプログラム車、さらに詳しくは、永久カレンダ機構のためのプログラム歯車に関する。
【背景技術】
【０００２】
手動補正を必要とせず、３１日未満の月を考慮して日付の表示を自動的に日送りすることが可能な機構に加え、永久カレンダ機構、すなわち２月の最終日に閏年を考慮して日送りする年間カレンダ機構は古くから知られている。
【０００３】
永久カレンダ機構は、１２カ月カムまたは４８カ月カムを使用し、これらのカムは、それぞれ毎年または４年に一度回転し、３１日未満の月に関するさまざま深さの切り込みを有する。１２カ月カムの場合、２月の切り込みは、閏年用の浅い切り込みが形成された、毎年割り出されるマルタ十字歯車をさらに含む。レバーのくちばし部は、バネにより復位し、これらの日付表示機構に使用するカムに作用し、係合する深さに応じて月末に日付表示送りを決定する。これは、多数の重要な部品を有する比較的複雑な構造となり、たとえば衝撃時の動作にはあまり信頼性はない。さらに、このカムシステムは、日車およびベースムーブメントを所定方向に同期させることのみ可能であり、よって、時間調整操作時は、日付を先に進めることのみが可能で、日付を戻すことはできない。
【０００４】
これらの欠点を克服するために、スイス特許第６８０６３０号明細書に開示される解決法は、たとえば、プログラム車を含む永久カレンダ機構を提案し、プログラム車は、２４時間車の突出歯によって駆動され、プログラム車には、月の日数と３１との差に対応する段数を常に進めるように歯車列が配置される。この機構は、日車を割り出すためのジャンパー以外に、レバー、バランスまたバネが全くない。しかし、歯車機構は、きわめて複雑であり、プログラム車に偏心して配置され、割出再調整に用いる長歯と嵌合する多数の遊星歯車を有する。その結果、ベースプレートはかなりの高さが必要となるのみならず、特に２４時間車との信頼性のあるかみ合いを確実にするために、軸はきわめて精確な配置が必要となるため、生産コストがきわめて高くなる。
【０００５】
欧州特許第１３５１１０４号明細書は、プログラム車の構成部品数を削減することを目的とした上記の解決法に対する代替案を提案している。したがって、開示されるカレンダ機構は、動作位置と非動作位置との間を摺動する格納式の歯を有する可動要素を備えるプログラム車を提案している。この装置は、プログラム車の全厚を効果的に削減することができる。しかし、摺動可動要素は、きわめて特有の形状を有し、複雑な幾何学的形状の当接部と肩部との間に精確に配置する必要がある。さらに、制御装置は、長さの不均一な歯を有し、摺動要素のカム面として作用する多数の遊星歯車をさらに含む。したがって、かみ合いの信頼性が問題となり、制御装置のさまざまな部品の摩耗は、摺動要素のための多数の案内面により増大する。
【０００６】
したがって、従来技術のこれらの制限がないカレンダ機構、特に永久カレンダが必要となる。
【発明の概要】
【発明が解決しようとする課題】
【０００７】
本発明の目的は、日時調整が進み方向と戻り方向の両方で同期できる簡略化された構造を有する、通常のカレンダ機構の代替解決法を提供することである。
【０００８】
本発明の別の目的は、さまざまな割出動作時、特に３１日未満の月末の割出を再調整する際のエネルギー損失を最小限に抑える解決法を提供することである。
【課題を解決するための手段】
【０００９】
これらの目的は特に、カレンダ機構用のプログラム歯車装置１００を含むカレンダ機構によって実現され、プログラム車１００は、時計ムーブメントによって駆動され、月の日付を表示するための歯車列１６〜２４を作動させ、毎月１回転する日プログラム車１３と、毎年１回転する月プログラム歯車４３とを含み、これらは同軸に取り付けられる。
【００１０】
提案する解決法の利点は、プログラム車に必要となる要素数を最小にすることと、さまざまな日割出再調整時に作動するさまざまな歯車の配置を簡素化することである。さらに、プログラム車の組立ては、形成する歯車の多くが同軸にあるという事実によって容易となる。
【００１１】
提案する解決法の別の利点は、それぞれの割出動作時に使用される歯車の摩耗が抑えられることによって、さらに良好なかみ合いの信頼性および耐久性が保証されることである。
【００１２】
提案する解決法の他の利点は、全ての歯が同一である簡単な形状の遊星歯車のみを使用することである。したがって、加工が困難な長い歯を有する遊星歯車を省くことが可能である。
【００１３】
提案する解決法の別の利点は、モジュール方式のかみ合いレベルによって３１日未満の月の日付を自動的に割り出すためにプログラム歯車に嵌合する再調整用の歯車列部品それぞれを、かみ合いレベルによって容易に変更することができることである。
【００１４】
本発明の実施形態の実施例は、本願明細書に開示し、添付の図面によって例示する。
【図面の簡単な説明】
【００１５】
【図１】図１Ａは本発明の好適な変形例によるカレンダ機構の部分断面図である。図１Ｂは本発明の好適な変形例による特にプログラム車および遊星歯車を有するカレンダ機構の部分平面図である。図１Ｃは図１Ａおよび図１Ｂに示す発明の好適な変形例によるカレンダ機構の表示装置の平面図である。
【図２】図２Ａは本発明の好適な変形例によるカレンダ機構の別の断面図であり、特に、プログラム車と、月および閏年の表示との制御機構を示す。図２Ｂは図２Ａに示す本発明の好適な変形例によるカレンダ機構の部分平面図である。
【図３】図３Ａは本発明の好適な変形例によるカレンダ機構の２４時間および曜日を表示する制御機構の断面図を示す。図３Ｂは本発明の好適な変形例によるカレンダ機構の２４時間および曜日を表示する制御機構の平面図を示す。
【図４】図４Ａは図３Ａの制御機構の断面図を示し、図４Ｂは図３Ａの別のかみ合いレベルの制御機構および曜日表示の平面図である。
【図５Ａ】本発明によるプログラム車および割出歯車の好適な実施形態の断面図を示す。
【図５Ｂ】本発明によるプログラム車および割出歯車の好適な実施形態の斜視図を示す。
【図６】既出の図に示すさまざまモジュールの好適な実施形態を使用する、本発明の好適な変形例によるカレンダ機構の斜視図である。
【図７Ａ】平年の２月２８日における、図５に示す好適な実施形態による永久カレンダ機構のための２つの第１の遊星歯車、第３の遊星歯車および日割出歯車の、それぞれのかみ合いレベルにおけるさまざまな割出順序を示す。
【図７Ｂ】平年の２月２８日における、図５に示す好適な実施形態による永久カレンダ機構のための２つの第１の遊星歯車、第３の遊星歯車および日割出歯車の、それぞれのかみ合いレベルにおけるさまざまな割出順序を示す。
【発明を実施するための形態】
【００１６】
本発明によるカレンダ機構は、曜日、２４時間、月および閏年を表示する永久カレンダ機構であるのが好ましい。しかし、このカレンダ機構を形成するさまざまなモジュールも、他の種類のカレンダ機構に対して互いに独立して使用することができること、および、プログラム車、たとえば遊星歯車の数およびかみ合いレベルの数を調整することによって、年間カレンダ機構または３０日月カレンダ機構などのさらに簡易な機構に適合させることができることが、当業者には理解できるだろう。
【００１７】
図１Ａおよび図１Ｂはそれぞれ、日付表示のための駆動歯車列の断面図および平面図を示し、図１Ｃは古典的な日付表示装置を示す。特に、図１Ｂは、ケース０に対するこの歯車列の位置を示し、特に、手動日付補正作動装置２６による日付調整機構の動作を明らかにしている。
【００１８】
また、以下は、図１Ａおよび図１Ｂに関して記載し、図に示す好適な実施形態によるカレンダ機構の駆動歯車列に関してさらに良く理解するために組み合わせて参照することができる。ムーブメントの筒車１は、２倍の歯数を有する２４時間車２とかみ合う。この２４時間車２に配置されているのが日かみ合い部分１１であり、１５°間隔で配置した７つの歯を有し、１つの歯から別の歯まで１時間毎に移動する。図３Ａで明らかなように、２４時間車のこの日かみ合い部分１１は、カレンダ割出歯車１２と第１のレベルＡでかみ合い、この割出歯車１２はこのかみ合いレベルで８つの歯を有する。したがって、毎日、２４時間車は、日かみ合い部分１１の７つの歯とかみ合うと、つまり８時間の間隔で、カレンダ割出歯車１２を１回転させる。カレンダ割出歯車１２は、歯状かみ合い部分１１とかみ合わない場合でも、図１Ａの符号１１’が示す２４時間車の非歯状部分に支持され、所定の位置に保持される。したがって、２４時間車１１のかみ合い部分とカレンダ割出歯車１２は、カレンダ割出歯車が毎日時刻１８：００〜翌朝２：００で１回転し、日プログラム車１３との割り出しが時刻２０：００〜深夜に行われるように配置されるのが好ましい。
【００１９】
図１Ａに示すように、カレンダ割出歯車１２は、さまざまなかみ合いレベルＢ、Ｃ、Ｄ、Ｅに分散する複数のかみ合い部分２８、２９、３０、３１を有する。特にこれらの部分は、これらを斜視図で示す図５Ｂでさらに明確に見て取れる。さらに、記載する好適な実施形態によれば、これらのかみ合い部分は、連続しており、その結果、必然的に毎時日プログラム車１３とかみ合う。図１Ｂは、かみ合い部分２９のかみ合いレベルＢ、図１Ａの２番目のレベルを、プログラム車１００とともに示す。遊星歯車１２９は、回転軸１２０’の周りを回転し、さらに２月の割出歯４５１とかみ合い、割出歯４５１は、プログラム歯車４５の２月の唯一の歯であり、図２Ｂから明らかなように月プログラム歯車４３と一体化している。かみ合い部分２９は、図７Ａおよび図７Ｂで詳細に記載するように、２月に２９日から３０日に再調整するために、時刻２１：００〜２２：００で遊星歯車１２９とかみ合うように配置されるのが好ましい。
【００２０】
日プログラム車１３は、３１の歯を有する均一な日割出歯システム１３’（すなわち、各歯の高さと各歯の間隔は同一）を含み、さらに、このシステムは、筒車１、すなわち２４時間車２から２４時間車の日かみ合い部分１１および日割出歯車１２に至る上記の歯車列によって、１日１歯のピッチで割り出される。実際、図に示す好適な実施形態によれば、日割出歯車１２と回転可能に固定されている歯状領域３１は、毎日、好ましくは時刻２３：００〜深夜に、月車１３の日付の日割出歯システム１３’の対応する歯１３１とかみ合う。カレンダ割出歯車１２の歯状領域３１とは異なり、この歯１３１は、カレンダ割出歯車１２の歯３１に対してのみ定義されているため、毎日同じではなく、各時点で外部の日割出歯システム１３’の別の歯に対応している。プログラム車の弾性割出要素１４は、各ジャンプの後に２つの連続した歯の間に入り、単一の歯によるピッチで割り出すことを可能にする。図に示す好適な実施形態によれば、割出歯システム１３’は、日プログラム車１３の外周に配置される。しかし、この歯システムを日車の内面に配置する代替実施形態も考えられる。
【００２１】
わかりやすくするため図１Ａでのみ示してある、カレンダ割出歯車１２の他のかみ合い領域２８および３０は、プログラム車１００、さらに正確には日プログラム車１３に配置される対応する遊星歯車１２８、１３０に関連して３１日未満の月をさらに再調整するのに有用である。遊星歯車１２９がかみ合いレベルＢでかみ合っている間、それぞれの回転軸１２８’および１３０’が日車１３と一体化している他の遊星歯車１２８および１３０は、特に、図５、図６および図７に基づいて後に明らかとなるように、それぞれ平年の２月に２８日から２９日まで、３１日未満の月に３０日から３１日まで割り出すために、レベルＥおよびレベルＤでそれぞれかみ合う。これらの割出再調整は、時刻２０：００〜２１：００および時刻２２：００〜２３：００でそれぞれ行われるのが好ましい。
【００２２】
図１Ａの底部は、中間月制御車４２と月プログラム歯車４３とのかみ合いに対応するかみ合いレベルＧを示し、月プログラム歯車４３は、各月末に１２分の１回転、すなわち月の値を変更させるために割り出される。中間月制御車４２は、日プログラム車１３の外部の日割出歯システム１３’から開始するこの毎月の割出動作のための制御歯車列の最後の輪であり、以下に、図２Ａおよび図２Ｂに基づいてさらに記載する。固定歯車４７’は、図２Ａおよび図２Ｂにさらに明確に示すマルタ十字歯車４６’が毎年４分の１回転することを可能にし、この間に固定車が一体化している月プログラム歯車４３が１回転することは明白である。マルタ十字歯車４６’は、かみ合いレベルＧのすぐ上に位置するかみ合いレベルＦでかみ合い、レベルＥで、図５Ｂに明確に示す３つの歯を含む閏年割出歯車４６と一体化する。
【００２３】
図１Ａおよび図１Ｂは、かみ合いレベルＣにおいて、中間月制御車４２に対して自由に回転可能となるように同軸に配置される中間日車１５を介して、日割出歯システム１３’が、日プログラム車１３のような３１の歯を備える日車１６とかみ合うことを示す。中間日車１５は、日プログラム車１３の全ての割出動作のためのリターンを構成するのみであり、この割出動作は日車１６に一体的に影響を及ぼし、一方では、日車１６の全ての回転動作は、調整時に、さらに以下に記載する手動作動装置２６を使用して日車１３に一体的に影響を及ぼす。したがって、日車１６を割り出す弾性割出要素は必要ない。ケース０の高さが十分であれば、日プログラム車１３および１６は、同軸に配置したり、重ね合わせたり、あるいは、統合することもできる。記載する好適な実施形態によれば、プログラム車１３と日プログラム車１６を分離することによって、３１日未満の月の日付を自動補正するムーブメントとかみ合わせるために設けられる日プログラム車１３によって形成されるユニットは互いに同軸であり、回転可能に固定され、図１Ｃに示し以下に記載する日付表示歯車とかみ合わせるために設けられる日車１６、一位ホイール１７および十位ホイール１８によって形成されるユニットから機能的に独立することが可能となる。
【００２４】
一位ホイール１７は、３１の等角領域に分割され、３０の歯状領域および１つの非歯状領域が配置される。一位ホイール１７は、月の１日を除く毎日、一位表示ディスク１９を作動させるための歯車を駆動する。したがって、一位表示ディスク１９を作動させるための歯車に不可欠な一位表示ディスク２０は、十位表示ディスク２３のみが加算される月の３１日から翌月１日への移動を除いて、毎日１単位ずつ割り出される。一位表示ディスク１９を作動させるための歯車は、１０の歯を含み、２つの連続した歯の間に入る一位ディスクの弾性割出要素２４により１０分の１回転のピッチで割り出される。
【００２５】
十位表示ディスク２３は、作動歯車、すなわち十位表示ディスクを作動させるための歯車２２に不可欠であり、この歯車は、４つのアーム部を有する十字の形状であり、９日から１０日、１９日から２０日、２９日から３０日、さらには、３１日から１日にそれぞれ移動する時に、４分の１回転して割り出しされる。４分の１回転のジャンプは、十字の２本の隣接するアーム部の間に入る十位表示ディスクの弾性割出要素２４によって確実に行われ、これらの日付の割り出しは、十位ホイール１８に配置される長い歯によって確実に行われ、また、十位ホイール１８は３１の領域に分割されるが、４つの長い歯しか含まず、そのうちの３つの歯は、９の領域の間隔で配置され、第４の歯は、３１日から翌月１日に移動するために第３の歯の後に配置される。
【００２６】
日車１６から一位表示ディスク２０および十位表示ディスク２３までの符号１６〜２４の要素から成る日付表示のための歯車列は、図１Ａ、図１Ｂおよび図１Ｃそれぞれで部分的に示す。図１Ａは、一位表示ディスク２０および十位表示ディスク２３それぞれに関連する作動歯車１９および作動歯車２２それぞれの弾性割出要素２１および２４を除く歯車列の全体を示し、図１Ｂは、一位表示ディスク２０および十位表示ディスク２３の下に位置するかみ合いレベルを示し、これらのディスクは図１Ｃでのみ示す。
【００２７】
日付調整は、ケース０に配置される手動作動装置２６によって行われる。図１Ａおよび図１Ｂに記載する好適な実施形態によれば、日付調整するための手動作動装置２６はボタンであり、そのボタンを最大３０回連続で押して所望の日付にする。調節機構２５は、パルスをボタンから日歯車１６に伝達することを可能にし、わかりやすくするため図１Ｂには示していないが、このような機構は当業者に周知である。代替手段として、ボタンの代わりに、手動作動装置２６としてシャフトを使用することが可能であり、この場合、シャフトの回転によって、曜日調整するための適切な機構２６とともに日歯車１６を駆動して両方向に回転させる。しかし、割出歯車１２のかみ合い領域２８、２９、３０または３１のうちの１つが、日プログラム車１３と直接係合、あるいは、遊星歯車惑星１２８、１２９、１３０を介して係合する場合、すなわち、時刻２０：００〜２４：００に、記載した好適な実施形態および提案した代替解決法よってこのような日付調整を行うのは不可能である。実際、日割出歯車１２と２４時間車の日かみ合い領域１１との直接係合によって、これらの割出動作が筒車１に達する傾向があり、これはムーブメントの正常機能を損なうことになる。
【００２８】
図２Ａおよび図２Ｂはそれぞれ、本発明の好適な変形例によるカレンダ機構の断面図および平面図を示し、枢動する格納式の歯を適切に配置するために、月プログラム歯車４３を配置するための制御歯車列と、月および閏年を表示するための歯車列とを記載する。他の２つの手動作動装置をケース０のレベルで示し、第１の装置は、符号４８で示し、月を調整するためにケースの８時の位置にあり、第２の装置は、たとえばプルバーに古典的に配置される王冠５０の形状でケースの４時の位置にあり、軸位置の１つでは、ムーブメントを巻き戻すことが可能であり、別の軸位置では、時針および分針を双方向に調整することが可能である。
【００２９】
図２Ａの中心部分は明らかに歯車であり、この歯車には図２Ｂに示す月割出歯３２が配置される。この月割出歯３２は、８つの歯が月制御車４１の３２の歯と回転可能に固定されている月割出歯車３３とかみと合い、月制御車４１は、かみ合いレベルＧで中間月制御車４２とかみ合い、中間月制御車は、中間日車１５と同軸であるが回転可能に固定されていない、４８の歯を有する月プログラム歯車４３とかみ合う。月割出歯車３３は、弾性割出要素３４によって毎月正確に１／８回転し、割出要素は２つの連続した歯の間に入る。月割出歯車３３の数と月プログラム歯車４３の数との歯車比によって、月プログラム歯車を毎月正確に１／１２回転して割り出すことが可能となる。
【００３０】
月割出歯車３３は、２３の歯を有する中間月割出歯車とさらにかみ合い、中間月割出歯車は、１２の歯を有する月表示３６の作動歯車とかみ合う。月割出歯車３３と月表示のための作動歯車３６との歯車比８：１２は、作動歯車が各月末には正確に１２分の１回転することを確実にする。月表示の作動歯車３６は、年割出歯３７と回転可能に固定され、その割出歯は、毎年１回転する歯車に配置される。年割出歯３７は、８つの歯を備える閏年作動歯車３８とかみ合い、その動作歯車は、年割出歯３７とかみ合う度に、歯２つ分、つまり９０度移動する。閏年作動歯車３８は、３９の歯を備える中間閏年車３９と回転可能に固定され、歯車３９は閏年表示車４０とかみ合い、閏年表示車４０は３９の歯を含み、月表示の作動歯車３６と同軸に取り付けられ、通常は腕時計のダイヤルに配置される同心リングを指し示す針である月および閏年の指標は、使用者の可読性を改善するために、同じ動作装置の周りを回転するように配置することができる。図２Ａおよび図２Ｂに記載する月表示（要素３３〜３６）、閏年表示（要素３７〜４０）および月プログラム歯車４３の位置の制御（要素３３、４１、４２、４３）のための歯車列を形成する要素のために割り出される歯の数は、本発明を実施するために、適切なかみ合い効率性を有する、図に示す好適な変形例の構成内の一実施例として与えられ、本発明を制限するものと考えてはならないことが、当業者には理解されるだろう。
【００３１】
図２Ｂは、月プログラム歯車４３に取り付けた閏年割出歯車４６を明確に示す。閏年割出歯車４６は、マルタ十字歯車４６’と一体化し、このマルタ十字歯車は、固定歯車４７に配置される閏年割出フィンガ４７’とレベルＦでかみ合う。マルタ十字歯車の３つのアーム部に重ね合わせるのは、３つの歯４６１、４６２および４６３であり、それらの歯は、閏年でない場合にレベルＥでかみ合って、日付を２８から２９にする。
【００３２】
月プログラム歯車４３は、遊星歯車をかみ合わせて月末に必要な再調整を行うように、表示され、割り出される月の値に同期する必要がある。図に示す好適な実施形態によると、要素１５、１６、３２、３３、４１および４２によって形成されている制御歯車列が、外部の日割出歯システム１３’から月プログラム歯車４３へ逆動できるのはこのためである。日プログラム車１３の日割出歯システム１３’は、毎日少なくとも１／３１回転（すなわち、通常の日は１／３１回転するが、３１日未満の月の最終日は、システムが３０日の月および２月に対して１または複数の１／３１回転が要求される再調整をさらに実行）し、毎月末後に１２分の１回転して月プログラム歯車４３を割り出す。図に示す好適な変形例により、月プログラム歯車４３の割り出しは、月表示を作動させるための歯車３６が１／１２回転によって割り出されるのと同時に行われ、これはこれらの２つの歯車の割り出しが、同じ要素、つまり月割出歯３２とかみ合うことによって引き起こされることによる。
【００３３】
記載するカレンダ機構の好適な実施形態によれば、符号１５、１６、３２、３３、４１、４２の要素から形成される月プログラム歯車の制御歯車列は、日プログラム車１３の日割出歯システム１３’から、中間日車１５を介して、日付表示歯車列（１６〜２４）の第１の要素を形成する日歯車１６に至る第１の運動連鎖から形成され、一方では、第２の運動連鎖は、日歯車１６および月割出歯３２から開始し、回転可能に固定される月割出歯車３３および月制御車４１と、中間月制御車４２とを介して、日プログラム車１３と同軸に配置されるが回転可能に独立している月プログラム歯車に戻る。中間歯車１５および中間歯車４２、すなわち、中間日車１５および中間月制御車４２は、たとえば他のムーブメントモジュール用にプレートの空間を最大限節約するために、同軸かつ回転可能に独立する２つの歯車を含む単一の中間車として配置される。中間月制御車４２は、レベルＧで月プログラム歯車４３とかみ合い、一方では、中間日車１５は、レベルＣで日プログラム車１３の日割出歯システム１３’とかみ合う。図に示す好適な実施形態によれば、中間日車１５は、日車１６と直接かみ合い、その結果、日車とは逆の方向へ回転するため、中間車（中間日車１５および中間月制御車４２）は、互いに反対方向に回転し、一方では、中間月制御車４２は、符号３３、４１によって形成される歯車を介して日車１６と一体化する月割出フィンガ３２によって駆動され、日車１６と同じ方向へ回転する。
【００３４】
月の調整は、ケース０に配置される手動作動装置４８によって行われる。図２Ａおよび図２Ｂに記載する好適な実施形態によれば、曜日調整するための手動作動装置４８はボタンであり、そのボタンを最大１１回連続で押してその年の所望の月にする。記載する好適な実施形態によれば、手動作動装置４８は、年を調整するための専用作動装置がないため、月のみならず４年に一度の閏年を求めるのに有用である。この場合、最大のパルス数は４７となり、１１ではない。この欠点を克服するために、代替実施形態は、閏年表示を作動させるための歯車３８の歯システムに直接作用する別の手動作動装置を中心部分に備えることが可能である。但し、この場合、この作動歯車の歯システムは、つまり、好ましくは１２月または１月に年割出歯３７に係合しないことを調整時に確実にする必要があるということになり、この調整を行なう必要のある瞬間に関してさらなる制限が必要となる。
【００３５】
調整機構４９は、パルスをボタンから月プログラム歯車４３へ伝達することを可能にし、わかりやすくするため図２Ｂに示していない。そのような機構は当業者には周知である。代替手段としてボタンの代わりに手動作動装置４８にシャフトを使用することが可能であり、この場合、シャフトの回転によって、月を調整するために適切な機構とともに月プログラム歯車４３を駆動して両方向に回転させる。しかし、図に示す好適な実施形態および提案した代替解決法によれば、月割出歯が月割出歯車３３とかみ合う時、すなわち、現在の月の最終日から翌月１日に移動する夜の間に、そのような月の調整を行うことは不可能である。実際、割出歯３２の係合によって日歯車１６が回転し、その結果、日プログラム車１３の動作が同一となり、時刻２０：００〜２４：００に、割出歯車１２の歯２８、２９、３０、３１との係合によって２４時間車１１の日かみ合い領域が回転するということになる。これは、日付調整が時刻２０：００〜２４：００で行われる場合、上記のようにこれらの割出動作を筒車１に伝達する傾向があり、これはムーブメントの正常機能を損なうことになる。
【００３６】
図３Ａおよび図３Ｂは、好適な変形例による２４時間および曜日のカレンダ機構の表示機構をそれぞれ断面図および平面図で示している。図３Ａおよび３Ｂは、ケース０によって囲まれ、腕時計内の歯車列の位置を示す。曜日を補正するためのボタン１０は、ケース０の９時方向に配置される。図３Ａには、３５の歯を含むのが好ましい筒車１が配置される時間の動作装置を示す。筒車１は、２倍の歯数を含む２４時間車２とかみ合う。毎日１回転する２４時間車２は、図に示す好適な実施形態に従って、同一の歯数、たとえば４６を含む２４時間表示歯車４とかみ合う伝え車３とともに回転するように固定して取り付けられる。２４時間表示歯車４は、以下に記載する図４Ｂに示すかみ合いレベルで、２４時間車２と同軸のツメ部６によって１日１回の割合で駆動される７つのアーム部を有する曜日星形歯車７に同軸に取り付けられる。曜日星形歯車７に対して２４時間表示歯車４の同軸配置によって、たとえば同心リングを通しての、これらの表示パラメータのさらに良好な可読性を得ることが可能となる。
【００３７】
図４Ａは、符号８が示す追加部分を除けば図３Ａと同一であり、この部分は、曜日星形歯車７の弾性割出要素を示す。図４Ｂは、２４時間表示歯車４における伝え車３のかみ合いレベルより下のかみ合いレベルの曜日星形歯車７の割出歯車列の平面図である。２４時間車に不可欠であるピン５は、曜日星形歯車７とかみ合うツメ部６を駆動して回転させ、曜日星形歯車７を毎日７分の１回転させる。かみ合いは、図４Ｂの２４時間車２の約１０時〜１１時に位置する領域で行われ、曜日の割り出しが、約午前２〜４時に行われることを意味する。精確な７分の１回転による曜日星形歯車の割り出しは、弾性割出要素８によって確実に行われ、この弾性割出要素は、それぞれの割出ステップが７分の１回転に対応するように曜日星形歯車７の２つの歯の間に配置される。
【００３８】
２４時間車のツメ部６は、２４時間車２と同軸の要素として配置されるのが好ましいが、この２４時間車２とともに回転するようには完全に固定されていないことから、曜日調整は、カレンダ機構および１日の時間とは独立して行うことができる。実際に、かみ合い歯車のツメ部６の配置によって、２４時間車２が反時計回り（すなわち、腕時計の正常機能時に、筒車１が時計回り）に回転する時に２４時間車のピン５が支持される第１の当接部６’と、２４時間車２が逆方向に回転する時に２４時間車のピン５が支持される第２の当接部６”との間で回転自由度が得られる。この自由度の大きさは、２０〜３０度の角度領域に対応するのが好ましく、曜日星形歯車７を、たとえば、図４Ｂに記載する実施形態に対して時計回りに回転させることが可能であり、２４時間車のツメ部６が、曜日星形歯車７の歯とかみ合う位置、たとえば、好適な実施形態に関して図４Ｂの上に記載する２４時間車の約１０〜１１時に位置する領域内に配置されても、筒車１の正常動作を妨げないように求められる。２４時間車のツメ部６が、調整の瞬間に曜日星形歯車７の２つの連続する歯の間に配置される場合、２４時間車は単に逆時計方向に回転し、第２の当接部６”に到達するまで曜日星形歯車７に対して抵抗を引き起こすことがなく、つまり２４時間車２の動作に影響を及ぼさない。したがって、筒車１の正常動作は、調整動作が何時に行われても、完全に保護される。この動作が曜日星形歯車の２つの歯の間に２４時間車のツメ部６が位置している間に行われる場合、２４時間車のツメ部６は、１０〜１１時に位置する通常のかみ合い領域の外側に位置し、第１の当接部６’は、この領域の外側で後にピン５によって再調整されるにすぎないことから、通常の毎日のかみ合いは起こらないということになる。
【００３９】
曜日調整は、ケース０に配置される手動作動装置１０によって行われる。図４Ａおよび図４Ｂに記載する好適な実施形態によれば、曜日調整するための手動作動装置１０はボタンであり、そのボタンを最大６回連続で押して所望の日付にする。調節機構９は、パルスをボタンから曜日星７に伝達することを可能にし、わかりやすくするため図４Ｂには示していないが、そのような機構は当業者に周知である。図に示す好適な実施形態によれば、単一の方向に曜日調整することのみが可能である。
【００４０】
曜日調整が２４時間車２のムーブメントに影響を及ぼさないという事実によって、時間および分の表示のみならず、本発明によるカレンダ機構によって求められる月および日付の値に対しても、この調整の独立性が保証される。実際には、図面に照らしてさらに以下に記載するように、月および日付の値は、２４時間車２の一体化したかみ合い領域によるムーブメントによって駆動され、曜日調整による影響を受けない。したがって、曜日補正は、本発明による記載したカレンダ機構の好適な実施形態によって表示される日および月の値には相関しない。
【００４１】
図５Ａおよび図５Ｂはそれぞれ、本発明によるプログラム車１００と割出歯車１２の好適な実施形態の断面図および斜視図を示す。日割出歯車１２は、レベルＡでかみ合うことによって、ムーブメントにより駆動され、かみ合いレベルＢ、Ｄ、Ｅのさまざまなかみ合い領域２８、２９、３０によって、割出再調整が可能となり、一方で、かみ合いレベルＣのかみ合い領域３１は、好ましくは時刻２３：００〜深夜で正常な割出動作を毎日実行する。かみ合い領域２８、２９、３０および３１は、図示する変形例により、それぞれ単一の先細状歯を含み、レベルＡで日割出歯車１２の歯２８”、２９”、３０”および３１”と重ね合わされる。かみ合いレベルＦおよびレベルＧは、プログラム車１００にのみ関係があり、それぞれ、固定歯車４７のツメ部でかみ合うマルタ十字４６’による閏年割出歯車４６の割り出しと、１２分の１回転による各プログラム月車４３の割り出しとを可能にする。記載する実施形態によれば、かみ合い部分２９はレベルＢに、かみ合い部分３０はレベルＤに、かみ合い部分２８はレベルＥにそれぞれ位置する。かみ合いレベルのこのような構成によって、図５Ｂに示すように遊星歯車１２８、１２９、１３０を日プログラム車１３の外部の日割出歯システム１３’の連続する歯から奥まって配置することができ、有利である。
【００４２】
月プログラム歯車４３は、かみ合いレベルＢで２月の月プログラム歯車４５と、かみ合いレベルＤで３１日未満の月プログラム歯車４４と同軸に取り付けられ、回転可能に固定されることから、これらの２つの割出再調整それぞれに専用の歯車列は必要ない。２月の月プログラム歯車４５は、単一の歯４５１を含み、３１日未満の月プログラム歯車４４は、それぞれ２月、４月、６月、９月、１１月に対応する歯４４１、４４２、４４３、４４４、４４５の５つの歯を含む。これらの歯は、各月に対応する１２の角度領域のうちの２番目、４番目、６番目、９番目および１１番目に位置する。したがって、３１日未満の月プログラム歯車４４は、１２の歯を有し、そのうちの７つの歯が３１日未満の月に対応する領域では欠落するということになる歯車として配置される。さらに、３１日未満の月プログラム歯車の２月に対応する歯４４１と、２月のためのプログラム車の歯４５１とは、重ね合わされ、同一であり、必要な配列を容易に確認することによってさまざまプログラム歯車の組立てを容易にし、さらに、それぞれの割出再調整に使用する歯の形状が類似することによって加工費用を抑える。
【００４３】
図５Ｂには、３つの遊星歯車１２８、１２９、１３０を明確に示し、それぞれの歯車は８つの歯を備え、日プログラム車１３に不可欠な回転軸を有する。これらの遊星歯車１２８、１２９、１３０は全て同一であり、それらの回転軸１２８’、１２９’、１３０’は、プログラム日歯車１３の日割出歯システム１３’の連続する歯の間に位置することから、かみ合い領域２８、２９、３０の歯システムが、両方向および日プログラム車１３の１／３１回転に相当する角距離に沿って、遊星歯車１２８、１２９、１３０の歯システムを効率的に駆動でき、さらに、日プログラム車１３の回転の中心から等距離に位置する。割出歯システム１３’の歯の先にかかわる深さは、それぞれのかみ合い領域２８、２９、３０の歯システムとの良好な係合が可能となるように求められる。同じ円弧上の回転軸１２８’、１２９’、１３０’のこのような構成は、３１日未満の月プログラム歯車の歯システム４４と、２月の月プログラム歯車４５と、閏年プログラム車４６とが同じであり、平年の２月の間は重ね合わされるという事実により可能となる。遊星歯車１２８、１２９、１３０は、月プログラム歯車４３と回転可能に固定されるこれらの歯車の歯システムとかみ合って、月末に割出再調整を実施する。記載する好適な実施形態によれば、それぞれの遊星歯車１２８、１２９、１３０は、かみ合い効率を高める８つの歯を含み、これらの歯車を月に関する遊星歯車の連続する歯の間へ配置するのは、歯車１２８および１３０が日かみ合いレベルＣの両側に位置している場合にのみ可能であり、日かみ合いレベルＣでは、日割出歯車１２のかみ合い領域３１が、毎日、外部の日割出歯システム１３’に直接かみ合い、これにより、各遊星歯車１２８、１２９および１３０の歯システムは、隣接する歯車の回転軸に架かることができる。図５Ｂでは、たとえば、遊星歯車１２９の歯システムが、遊星歯車１２８および１３０の回転軸１２８’および１３０’に架かることを示す。
【００４４】
したがって、図５Ａおよび図５Ｂに示すプログラム車１００は、遊星歯車１２９および２月の月割出歯４５１と協働して、日プログラム車１３を歯１つ分進める歯状領域２９によって２月の間に２９日から３０日までを割り出すための、かみ合いレベルＢにおける第１の割出再調整と、第２の遊星歯車１３０と協働する歯状領域３０によって３１日未満の月に３０日から３１日までを割り出すための、第２のかみ合いレベルＤにかみ合う第２の割出再調整とを行う永久カレンダ機構を対象とする。第３の割出再調整は、２８日しかない２月に対してのみ行われるため、年間割出動作でない。この割出動作は、歯状領域２８によって第３のかみ合いレベルＥで発生し、この領域は第３の遊星歯車１２８と協働する。日プログラム車１３の日割出歯システム１３’自体は、第４のかみ合いレベルＣでかみ合う。
【００４５】
図に示す３つの歯４６１、４６２、４６３を含むプログラム車の閏年プログラム歯車４６は、マルタ十字歯車４６’と一体化し、プログラム月車４３上で枢動するように取り付けられ、かみ合いレベルＦで閏年のツメ部４７と毎年かみ合う。プログラム車１００の組立てと、対応する日割出歯車１２のかみ合い領域の加工を容易にするために、閏年プログラム歯車の歯４６１、４６２、４６３は同一であり、３１日未満の月の月プログラム歯車の、２月に対応する歯４４１に、さらには平年の２月の間は２月の月プログラム歯車の歯４５１に重ね合わされる。
【００４６】
したがって、図に示すプログラム車１００は、Ｂ〜Ｇの合計６つのかみ合いレベルに及ぶ。しかし、本発明は、閏年のためのかみ合いレベルＥおよびＦを省略することによって、年間カレンダ機構にも同じように適用できることを当業者は理解されよう。
【００４７】
図６は、さまざまな上記の図を通して示した、本発明の好適な実施形態によるカレンダ機構の斜視図を示す。図の中心部分にある筒車１からは、割出歯車１２とかみ合う７つの歯がある日かみ合い領域１１によって日プログラム車１３に至る歯車列を確認することが可能であり、２４時間車２は、その上位のかみ合いレベルＢのみが、日割出歯システム１３’の連続する歯２９’および３０’と、２月の割出歯４５１との間のマルタ十字歯車のわずか下に位置する回転軸１２９’の周りを移動可能な遊星歯車１２９とともに視認可能である。
【００４８】
図６の左側では、２４時間車２に回転可能に固定される２４時間車の伝え車３は、下位のレベルに配置された曜日星形歯車７と同じ動作装置の周りを回転する２４時間表示歯車４とかみ合う。曜日星形歯車７を回転させる２４時間歯車のツメ部６は、曜日星形歯車の弾性割出要素８と同じく、この図には示していない。
【００４９】
カレンダ割出歯車１２のかみ合い領域２８、２９、３０、３１（かみ合いレベル１２に重なりあうこれらの歯には、符号２８”、２９”、３０”および３１”を付している）の１つとかみ合う度に、日プログラム車１３は１／３１回転する。日歯車１６は、中間日車によって同じ角度で回転することになる。日車１６の上部には、一位ホイール１７および十位ホイール１８を示し、図に明らかに示す４つの長い歯は、十位ホイール１８の９番目、１９番目、２９番目および３１番目の歯のレベルに配置され、一位ホイール１７の３１番目の歯は、くりぬかれている。わかりやすくするため、日付表示機構は図に明確に示していない。
【００５０】
それぞれの表示ディスクと、割出要素（符号２０〜２４、図１Ｃに示す）と、日歯車と同軸であり回転可能に固定される月割出歯３２は、日車１６の下部に隠れているため、日付表示のための歯車列は、図６にその全体を示していない。しかし、月割出歯車３３は図で確認でき、月制御車４１と回転可能に固定され、中間月制御車４２による月プログラム歯車４３の回転を駆動することを可能にし、月プログラム歯車４３の歯システムは、日車の日割出部分１３’の歯システムの下位にあり、図でほとんど確認できず、月表示のための歯車列とかみ合うことを可能にする。
【００５１】
図６の上部には、中間月割出車３５を示し、月割出歯３７と同軸かつ回転可能に固定され、月割出歯３７の下部に隠れている月表示のための作動歯車３６とかみ合う。月割出歯３７は、１年に１回転し、閏年表示の作動歯車３８とかみ合い、作動歯車３８は、中間閏年車３９に同軸かつ回転可能に固定され、中間閏年車３９は、歯数が同じの閏年表示車とかみ合う。腕時計の使用者にとってさらに良好な良い可読性を得ることが可能となるように、閏年表示車４０は、月表示の作動歯車と同軸に配置される。
【００５２】
図７Ａは、平年の２月２８日における、図に示す好適な実施形態による永久カレンダ機構の第１の割出順序を２つ示す。そのような日には、カレンダ機構は３つの日の値により再調整する必要があり、この再調整は、レベルＥ、ＢおよびＤそれぞれでかみ合うことによって行われ、図７Ａは、時刻２０：００のレベルＥでの第１の再調整と、時刻２１：００のレベルＢでの第２の再調整とを示す。
【００５３】
上側の図は、２月２８日時刻２０：００において、日割出領域１１と、それぞれのかみ合いレベルＥ、Ｂ、Ｄ、Ｃにおけるかみ合い領域２８、２９、３０および３１で、かみ合いレベルＡで重ね合わせたさまざまな歯２８”、２９”、３０”、３１”の位置を示す。このとき、かみ合いレベルＡで日割出歯車の歯２８”の下部に位置する日割出歯車１２のかみ合い領域２８は、日プログラム車１３と一体化した回転軸１２８’の周りを枢動するように取り付けた遊星歯車１２８と、かみ合いレベルＥでかみ合う。図に示す好適な実施形態によれば、枢動する格納式の歯１２８の回転軸１２８’は、日割出歯システム１３’の連続する歯２８’と２９’との間のくぼみのわずか下側に位置している。遊星歯車１２８は、閏年割出歯車４６の第２の歯４６２とさらにかみ合い、歯車４６は、マルタ十字歯車４６’と一体化し、マルタ十字機構４６’は、固定歯車４７と一体化される固定閏年割出フィンガ４７によって１年に一度割り出しされる。図に示す好適な実施形態によれば、固定歯車４７は、月プログラム歯車４３および日プログラム車１３’と同軸である。
【００５４】
上記の配置と、遊星歯車１２８の歯システムの閏年割出歯車４６の歯４６２との協働と、１または２つの歯を含むのが好ましいかみ合い領域２８の歯システムとの協働の結果、日プログラム車１３は、たとえば図７Ａにより、２４時間車２と同じ回転方向Ｓ１、たとえば、腕時計の針の時計回りの方向に１／３１回転駆動される。日プログラム車の弾性割出要素１４は、日割出歯システム１３’の割り出しを可能とし、次に方向Ｓ１に精確に１／３１ピッチ回転して日付表示歯車列（他の図に示す符号１５〜２４を参照）にかみ合う。
【００５５】
図７Ａの上部から、割出順序が２月末に進む方向を示す下方向の矢印Ｓに従うと、かみ合いレベルＢでの日プログラム車１３およびプログラム月車４３の断面図を示す第２の図面があり、レベルＡで日割出歯車の歯２９”に重ね合わせた日割出歯車１２のかみ合い領域２９は、日プログラム車１３の枢動する格納式の歯１２９とかみ合い、この歯は日プログラム車１３に不可欠な回転軸１２９の周りを枢動するように取り付けられる。図に示す好適な実施形態によれば、遊星歯車１２９の回転軸１２９’は、日付割出歯システム１３”の連続する歯２９’と歯３０’との間のくぼみのわずか下側に位置している。この順序は、２４時間車２が２４時間車の日かみ合い領域１１を歯１つ分進める時刻２１：００に行われ、日割出歯車１２は、１／８回転して歯２８”に続いて歯２９”へかみ合う。レベルＢにおける２月の割出歯４５１は、かみ合いレベルＥにおける図７Ａの上側に示す閏年割出歯４６２と同一であり、さらに重ね合わされ、この配置によって、遊星歯車１２９の歯システムの２月の割出歯４５１との協働と、かみ合い領域２９の歯システムとの協働の結果として、日割出歯車１３’が同じ方向Ｓ１に１／３１回転することが可能となり、かみ合い領域は、１または２つの歯を含むのが好ましく、かみ合い領域２８と同じ歯数を含むのが好ましいことは明らかである。日プログラム車の弾性割出要素１４は、日割出歯車１３’の割り出しを可能にし、Ｓ１方向に再度精確に１／３１回転する。回転方向Ｓ１と反対の回転方向Ｓ２自体は、月プログラム歯車４３の回転方向に対応しており、２月の月プログラム歯車４５が回転可能に固定されている。しかし、記載する好適な実施形態によれば、月の３１日から翌月の１日に移動する時にのみ月プログラム歯車４３の割り出しが行われる。
【００５６】
かみ合いレベルＤで行われる第３および最後の割出再調整は、かみ合いレベルＤに沿って日プログラム車１３およびプログラム月車４３の断面図を示す図７Ｂに示し、かみ合いレベルＡで歯３０”に重ね合わせた日割出歯車１２のかみ合い領域３０は、日プログラム車１３と一体化される回転軸１３０’の周りを枢動するように取り付けた日プログラム車１３の遊星歯車１３０とかみ合う。図に示す好適な実施形態によれば、回転軸１３０’は、日付割出歯システム１３’の連続する歯３０  ’と歯３１’との間のくぼみのわずか下側に、回転軸１２８’および１３０’として、日プログラム車１３の回転中心に対して同じ円弧上に位置している。この順序は、２４時間車２が２４時間車の日かみ合い領域１１を歯１つ分再度進める時刻２２：００に行われ、日割出歯車１２は、１／８回転して日割出歯車１２の歯２９”に続いて歯３０”にかみ合う。図７Ａに示すかみ合いレベルＢおよびＥと同様に、かみ合いレベルＤでは、割出歯４４１は、レベルＥおよびＢそれぞれの歯４６２および４５１と同一であり、これに重ね合わされ、レベルＤにおけるこの配置によって日割出歯車１３’が駆動され、遊星歯車１３０の歯システムの３１日未満の月、ここでは２月の歯車４４の割出歯４４１との協働と、かみ合い領域２９の歯システムとの協働の結果として、同じ方向Ｓ１に１／３１回転することが可能となり、１または２つの歯を含むのが好ましく、別のかみ合い領域２８および２９と同じ歯数を含むのが好ましい。歯４４１と同一の他の４つの歯４４２、４４３、４４４および４４５はそれぞれ、４月、６月、９月および１１月に３０日から３１日の間、同じくこれらの月の最終日の時刻２２：００〜２３：００の再調整のための割出歯に対応する。
【００５７】
日プログラム車の弾性割出要素１４は、日割出歯車１３’の割り出しを可能にし、この最後の割出再調整のために、回転方向Ｓ１に精確に１／３１回転のピッチで再度回転する。回転方向Ｓ１自体とは反対の回転方向Ｓ２は、月プログラム歯車４３の回転方向に対応しており、３１日未満の月プログラム歯車は、２月の月歯車４５のように回転可能に固定される。しかし、記載する好適な実施形態によれば、月の３１日から翌月の１日に移動する時にのみプログラム歯車４３の割り出しが行われる。
【００５８】
図７Ａのさまざまな例から示すように、遊星歯車１２８、１２９、１３０は全て同じ幾何学的形状を有するのが好ましく、これにより日プログラム車１３の製造を実質的に簡素化し、交換部品の加工も実質的に簡素化するため、日付調整のために専用要素を加工する必要はない。組み合わせた遊星歯車１２８、１２９、１３０それぞれの単純かつ均一な幾何学的形状は、割出歯車（２月の月車４５と、３１日未満の月の月車４４）と、割出再調整のために各レベル（Ｂ、Ｄ、Ｅ）で、上に記載したように均一な歯システムとを併用することを可能にする。したがって、提案するカレンダ機構全体の複雑さは、通常の機構に対して大幅に減少する。遊星歯車１２８、１２９、１３０は、８つの歯を含むのが好ましく、それぞれのかみ合いレベルＥ、Ｂ、Ｄでかみ合い領域２８、２９、３０とかみ合う。図に示す好適な実施形態によれば、かみ合い領域２８、２９および３０はそれぞれ、各遊星歯車１２８、１２９、１３０の歯システムとかみ合うのに十分な先細り形状になっている単一の歯を含むのみであり、また日割出歯車１２の歯２８”、２９”、３０  ”に重ね合わせる。この解決法は、かみ合い領域２８、２９、３０の加工を簡素化することを可能にする。かみ合いの信頼性を改善するために、代替実施形態では、かみ合い部分に第２の歯を備えてもよい。この場合、かみ合い領域の２つの歯は、全体のかみ合い領域が日割出歯車１２の歯の２８”、２９”および３０”に対して完全に重なり合う位置にあっても、日割出歯車１２の対応する歯２８”、２９”および３０”の両側、精確には下側ではないところに位置する。
【００５９】
図７Ａおよび図７Ｂの日プログラム車１３の３１の歯では、それぞれ符号１’、２８’、２９’、３０’で示す日割出歯システム１３の第１番目の歯および２８〜３０番目の歯が、歯１３１と同様に示し、平年の２月２８日から３月１日まで移動する時に、記載する実施例において、３１日から翌月１日を割り出すための日割出歯車１２の歯の３１”に重ね合わせたかみ合い領域３１と協働する。図に示す好適な実施形態では、歯状領域３１は、再調整のために設けた他のかみ合い領域（符号２８、２９、３０で示す）とは異なり、重ね合わせた日割出歯車１２の歯３１”と精確に同じ形状を有し、一方では、他のかみ合い領域それぞれは、さらに細い歯構造を有する遊星歯車とかみ合う先細状歯を有するという点で異なっている。
【００６０】
図７Ｂの下部の図は、月の最後の割出順序を示しており、この順序は、平年の２月２８日のための先の３回の割出再調整に続き、それ以外の全ての日の時刻２３：００〜深夜にも行われる。月の最後の割り出しのための上記の図７Ａと同じ矢印Ｓは、明らかに下向きを指し、割出順序が進む方向を示している。
【００６１】
この図は、特に、図１Ａ／１Ｂおよび図２Ａ／２Ｂに示す好適な実施形態において、かみ合いレベルＤのすぐ上に位置するかみ合いレベルＣの日プログラム車１３を示しており、また、かみ合いレベルＣでは、日割出歯車１２のかみ合い領域３１は日プログラム車１３の日割出歯システム１３’の歯１３１とかみ合う。この順序は、２４時間車２が、図７Ｂの上側の図に関する２４時間車の日かみ合い領域１１を歯１つ分再度進める時刻２３：００に行われ、日割出歯車１２は１／８回転して、日割出歯車１２のレベルＡで歯３０”に続いて歯３１”へかみ合う。
【００６２】
真夜中に日付が３月１日であると割り出され、日割出歯車１２がさらに８分の１回転すると、かみ合い領域歯３１は日割出歯車１３’とかみ合わない。日割出歯車１２は、日かみ合い領域１１ともにかみ合いレベルＡで８つの歯を有し、それらの歯２８”、２９”、３０”および３１”は、それぞれのかみ合いレベルＥ、Ｂ、Ｄ、Ｃでかみ合い領域２８、２９、３０および３１に重ね合わせられ、プログラム日歯車１３の動作に影響を及ぼすことなく、かみ合い領域１１の残りの歯とかみ合いが継続されるようになる。したがって、日割出歯システム１３’は、この瞬間を過ぎて回転するようには駆動されない。しかし、特に図２Ｂに基づいて記載する上記の制御歯車列（符号１５、１６、３２、３３、４１、４２）は、３１日から翌月の１日へそれぞれ移動する間、方向Ｓ１とは反対方向Ｓ２に１／１２回転することによって月歯車４３を割り出す。それぞれの月の変化時にムーブメントに使用するエネルギーが大きくなり過ぎないことを確実にするために、代替実施形態では、月割出歯の種類は、月表示に関するものと、月プログラム歯車４３の逆動に関するものとで、分けてもよい。提案する実施形態によれば、符号３２の月割出歯は、同時に月表示３６および月プログラム歯車の作動歯車の割り出しを引き起こすため、これらの月の割出歯は統合している。代替実施形態では、第２の割出歯は、レベルＧで月割出歯車３３と回転可能に固定されていない月制御車４１とかみ合い、これにより、このかみ合いは、たとえば月の１０日〜２０日に、数日分前方に角度移動することができ、その結果、月プログラム歯車の割り出しは、現在の月表示の割り出しとは同時に行われず、月末に同時に行う割出動作は、あまり大きなトルクが必要とはならないが、格納式の歯を動作位置に配置する必要がある場合、つまり、月の最終日の前の十分長い時間では、プログラム日歯車４３の適切な配置を確実にするような方法であると考えられる。さらに、日割出歯車１２は、歯状かみ合い領域１１の７つの歯とかみ合った後に１回転し、この同じ歯状領域の次のかみ合いまでは、所定の位置にて図７Ａおよび図７Ｂの全ての図面に示す非歯状領域１１’の表面によって保持され、その回転を妨げる。
【００６３】
本発明によるカレンダ機構によって提案するかみ合いの信頼性は、格納式の歯の転換に、複雑なカムの表面、および／または、いくつかのの構成部品を有するムーブメントを使用する機構に比して改善される。さらに、それぞれの日付再調整に対して全て同一の遊星歯車を使用したり、それぞれのかみ合いレベルで、類似の歯構造を有する複数の同軸かつ回転可能に固定されたプログラム歯車を使用したりすることによって、構造が簡素化される。
【００６４】
さらに、日割出歯車１２および日プログラム車１３は、長い歯を有さないことは明らかであり、これにより、これらの加工が簡素化される。再調整に使用され、同一であることが好ましい歯状領域は、それぞれのかみ合いレベルでモジュールとして取り付け、配置することができる。歯の深さおよび歯数は、日割出歯車１２のかみ合いレベルＡで重ね合わせた歯２８”、２９”、３０”に対して、これらに対応する各かみ合い領域２８、２９、３０では２倍であり、良好なかみ合いの信頼性が可能となり、一方では、かみ合い領域それぞれの間の角度の間隔自体は、日プログラム車１３の一位の加算を確実にする。
【００６５】
図７Ａおよび図７Ｂに示すように、３１日未満の月末に欠落する日の再調整は、最初に、３つの再調整のかみ合レベルＥ、Ｂ、Ｄそれぞれで、次に、通常の日付割出レベルＣで、最大４時間、つまり時刻２０：００〜２４：００にわたって毎時間、本発明によるカレンダ機構によって連続して行われ、一方では、日割出歯車１２は、２４時間車１１のかみ合い領域によって駆動される。遊星歯車は全て、同じ時計ムーブメント歯車列、さらに精確には同じ部分（すなわち日割出歯車１２）によって駆動されることから、各補正には専用歯車列が必要なく、これによって、提案するカレンダ機構は、古典的な機構に比して構造が簡素化される。選択された好適な実施形態によれば、８に固定した日割出歯車１２の歯数は、遊星歯車１２８、１２９、１３０を取り付けた日プログラム車１３を割り出すのに十分な角度で１／３１回転し、同時に適切なかみ合いの深さで回転を実行するように求められる。さらに、日割出歯車１２が精確に毎日１回転するという事実は、同じような動作が同じ位置から開始する１日周期によって繰り返されることを可能にする。かみ合いレベルＢ、Ｄ、Ｅが、月末の全ての再調整動作、日割出動作のかみ合いレベルＣに対して分離しているという事実によって、プログラム車１００および日割出歯車１２のそれぞれの部品に関して、好ましくはかみ合いレベル毎に、モジュール単位の交換が可能となる。本発明によるカレンダ機構によって提供するこの可能性は、たとえば、かみ合いレベルＣは毎日使用されるが、レベルＢは年１回、レベルＤは年５回、レベルＥは４年のうち平年の３年で年１回使用されるため、きわめて有利である。
【００６６】
カレンダ機構は、古典的にケース０に配置される王冠を回転させることによる時間の調整が、筒車１を介して、最終的にカレンダ機構に伝達されるように、動作に関して、さらには両方向に日付表示を常に同期させることが可能である。これは、目的地の時間帯が出発地域よりも遅れる、たとえば欧州から９時間遅れる米国西海岸を目的地とする旅行の場合に有利となりうる。本発明によるカレンダ機構を装着した腕時計の使用者は、単に腕時計の時間を−９時間調整する必要しかなく、日付は、たとえば３月１日から２月２８日または２９日に自動的に逆方向に調整され、日付調整のために特別な操作を必要としない。この腕時計の使用は、逆方向の操作での調整時に動作と同期しない通常の日付機構を備える腕時計に対してさらに簡単になるのみである。
【図１】
0005559826.tif 000002
【図２】
0005559826.tif 000003
【図３】
0005559826.tif 000004
【図４】
0005559826.tif 000005
【図５Ａ】
0005559826.tif 000006
【図５Ｂ】
0005559826.tif 000007
【図６】
0005559826.tif 000008
【図７Ａ】
0005559826.tif 000009
【図７Ｂ】
0005559826.tif 000010